(57)【要約】【課題】常に安定した保温効果を得ることができる浴槽内温水の保温構造を提供すること。【解決手段】第１断熱材が一体成型され浴槽１２が載置される浴槽側防水パン１４を有し、浴槽側防水パン１４に形成された壁載置部１８に浴室１０の壁部１６が載置される浴室１０に用いられ、浴槽１２が浴槽側防水パン１４上に載置されたときに浴槽１２の裏面側と浴室１０の壁部１６又は浴槽側防水パン１４とで形成される内部空間Ｍから浴室１０の外部に熱が逃げることを阻止するように壁部１６に第２断熱材２６を貼り付けた構成とした。【選択図】  図１
2005002738.tif 000002
【特許請求の範囲】
【請求項１】
第１断熱材が一体成型され浴槽が載置される浴槽側防水パンを有し、前記浴槽側防水パンに形成された壁載置部に浴室の壁部が載置される浴室に用いられ、
前記浴槽が前記浴槽側防水パン上に載置されたときに前記浴槽の裏面側と前記浴室の前記壁部又は前記浴槽側防水パンとで形成される内部空間から浴室外部に熱が逃げることを阻止するように前記壁部に第２断熱材を貼り付けたことを特徴とする浴槽内温水の保温構造。
【請求項２】
第１断熱材が一体成型され浴槽が載置される浴槽側防水パンを有し、前記浴槽側防水パンに形成された壁載置部に浴室の壁部が載置される浴室に用いられ、
前記浴槽が前記浴槽側防水パン上に載置されたときに前記浴槽の裏面側と前記浴室の前記壁部又は前記浴槽側防水パンとで形成される内部空間から浴室外部に熱が逃げることを阻止するように前記壁部に第２断熱材を一体成型したことを特徴とする浴槽内温水の保温構造。
【請求項３】
前記第２断熱材の下方側端部は前記浴槽側防水パンの前記壁載置部上に載置され、前記第２断熱材の上方側端部には前記浴槽の一部が接触していることを特徴とする請求項１又は２に記載の浴槽内温水の保温構造。
【請求項４】
前記浴槽の裏面側と前記第２断熱材又は前記浴槽側防水パンとで囲まれて形成され前記浴槽の裏面側から放熱された熱が閉じ込められる保温空間を複数又は単数備えていることを特徴とする請求項１乃至３のいずれか１項に記載の浴槽内温水の保温構造。
【請求項５】
前記浴槽の裏面側と対峙する部分には、前記浴槽の裏面側からの輻射熱を反射する輻射熱反射層が形成されていることを特徴とする請求項１乃至４のいずれか１項に記載の浴槽内温水の保温構造。
【発明の詳細な説明】
【０００１】
【発明の属する技術分野】
本発明は、浴室に設けられ、浴槽内に貯溜された温水を保温する浴槽内温水の保温構造に関する。
【０００２】
【従来の技術】
図１５に示すように、従来からいわゆるハーフタイプの浴室が知られている。このハーフタイプの浴室は、建物２０１の内部にユニットバス（洗い場付き浴槽）２００を設けて浴室を形成するタイプのものであるが、ユニットバス２００の壁面２０２や浴槽２０４が建物２０１の基礎に形成された通気口２０６から進入する外気に直接曝される構造となっている。このため、建物２０１の内部といえども建物２０１の外壁２１０とユニットバス２００の壁面２０２及び浴槽２０４とで構成される空間（本明細書において、「建物内部外気温空間」という。）２０８の温度は、外気と略同じ温度になっている。
【０００３】
このように浴槽２０４の裏面が直接外気に曝され、かつ一般的な浴槽２０４の素材はＧＦＲＰ（ガラス繊維強化プラスチック）等の薄くて軽量で強度の高い樹脂が使われているため、断熱性・保温性が低く、浴槽２０４内の湯の熱が建物内部外気温空間２０８に放熱し易くなり、湯温低下が起き易いという問題がある。特に、外気温が急激に低下する冬季にはこの現象が顕著となり、浴槽２０４の保温効果は悪化する。
【０００４】
上記問題を解決するため、従来から様々な浴槽が知られている。例えば、図１６に示すように、浴槽２２０の裏面形状に合わせて成型された複数の保温材２２２Ａ、２２２Ｂ、２２２Ｃ、２２２Ｄ、２２２Ｅを浴槽２２０の裏面側に貼り付けて浴槽２２０内部の湯の温度低下を防止した発明が知られている（下記特許文献１参照）。また、浴槽の裏面に発泡ウレタンを吹き付けたり、軟質のシート状の断熱・保温材を貼り付けたりすることで、浴槽の裏面からの熱の発散を抑える手法が知られている。
【０００５】
しかしながら、浴槽２２０の裏面形状に合わせて成型した複数の保温材２２２Ａ、２２２Ｂ、２２２Ｃ、２２２Ｄ、２２２Ｅを浴槽２２０の裏面側に貼り付ける方法は、保温材２２２Ａ、２２２Ｂ、２２２Ｃ、２２２Ｄ、２２２Ｅを製造する製造コストが必要になるばかりではなく、様々なタイプの浴槽に合わせた保温材が必要となって保温材のバリエーションが増えるため、当然に保温材２２２Ａ、２２２Ｂ、２２２Ｃ、２２２Ｄ、２２２Ｅを成型する型投資も大きくなる。また、型投資が不要な発泡ウレタンの吹き付けや軟質シート状の保温材の貼り付けによる方法では、保温素材の材料費に加え、吹き付けや貼り付けに手間がかかり、生産性が大きく低下するという問題点がある。
【０００６】
また、今日、浴槽には追焚のアダプタや気泡浴槽のポンプなど様々な周辺機器が取り付けられることが多く、これらの周辺機器の取付は浴槽の保温層を貫通して行われるため、これらの周辺機器を取り付けたことによって保温層内の気密性が失われ易く、その部分から外部に熱が逃げてしまう状態になっている。特に、これらの周辺機器が現場施工で浴槽に取り付けられる場合には、施工において僅かな誤差でも生じると気密性が確保できず、その部分から外部に熱が逃げてしまう問題がある。
【０００７】
また、ハーフタイプの浴室では、浴槽の下側に防水層が設けられていないため、浴槽に取り付けられた周辺機器などからの水漏れに対する術がなく、水漏れにより他の建材に悪影響を及ぼす問題がある。
【０００８】
これらの問題を解決するために、図１７に示す浴室の保温材取付構造が知られている（下記特許文献２参照）。すなわち、図１７に示すように、浴槽２３０の裏面に保温材２３２を接着して取り付け浴槽２３０の保温性を向上させるとともに、保温材２３２と浴槽２３０との間に周辺機器２３６などを取り付ける空間部２３４を形成している。そして、周辺機器２３６が取り付けられる浴槽２３０の開口部などの処理が不完全な場合にはその開口部から漏水するが、この漏れた水は、保温材２３２の下部に流れ落ち、保温材２３２の下部に取り付けられた排水管２３８から排水トラップ２４０に導かれる。これらにより、浴槽２３０を保温することができると共に、漏水が生じた場合でも漏水を排水トラップ２４０に導くことができるため漏水が建材などに悪影響を及ぼすことを防止できる。
【０００９】
しかしながら、上記浴室の保温材取付構造では、浴槽２３０のリム面に浴室の壁部が直接載置される構造となっているため、浴槽２３０を容易に取り外すことができず、浴槽の交換時などに不便が生じていた。
【００１０】
これらユニットバスの保温性、水密性及び浴槽交換困難性などの構造上の諸問題を改善する手法として、図１８に示す防水パン形式のユニットバス２５１が知られている。図１８に示すように、かかる形式の浴室構造では、浴槽２５０の外側下部に防水パン２５２を延ばして防水層とした２重構造とされており、浴槽２５０の裏面が外気に直接曝されない構造になっている。また、万が一、浴槽２５０から漏水が発生した場合でも、それを防水パン２５２で回収することができ漏水が建材などに悪影響を及ぼさない構造になっている。また、浴槽２５０と浴室の壁部２５４とが独立しているため、浴槽２５０のみを容易に浴室から取り出すことができるため、浴槽２５０の交換や浴槽２５０の形状変更などの際の自由度が高くなるメリットもある。さらに、かかるユニットバス２５１では、浴槽２５０の裏面に保温材が取り付けられていない状態でも、その構造上、浴槽２５０の裏面が外気に直接曝されないため、比較的保温性が良いという特徴がある。
【００１１】
ところが、一般の防水パンの構造では、浴槽２５０の裏面側に位置する防水パン２５２や浴室の壁面の素材は、保温性があまり高くないＦＲＰ（繊維強化プラスチック）や樹脂ラミネート鋼板などで構成されているため、２重構造にして浴槽２５０の裏面を外気に直接曝さない構造をとったとしても、浴槽２５０の裏面から発散された熱はこれら防水パン２５２や浴室の壁部２５４を簡単に伝導して建物内部外気温空間２５６に逃げてしまい、浴槽２５０の裏面が外気に直接曝される構造の場合と比較して保温性は良くなるものの、著しく浴槽２５０の保温性を向上させるには至らなかった。
【００１２】
これら熱の逃げ易い部位をできるだけ無くすため、防水パンの裏面に保温材を取り付けた構造のものが存在するが、防水パンに直接保温材を取り付けるため、防水パンの形状に合わせた保温材を成型する必要があった。かかる場合、浴槽の裏面に保温材を直接に取り付ける場合に生じた問題と同様の問題、すなわち、保温材自体の材料費の他に、防水パンの形状や大きさに合わせた保温材形成用の型が必要になり、型投資が大きくなる。また、防水パンに型投資の必要でない発泡ウレタン保温材の吹き付けやシート状の保温材の貼り付けもこれら素材の材料費に加え、生産性が低下する問題が生じる。さらに、防水パンのみを熱の逃げにくい状態に構成しても、その他の部分、例えば、浴槽で隠れる浴室の壁部などにも同様に保温材加工などを施し、全体的に外部に熱が逃げにくい構造にしなければ、熱は逃げ易い部位から外部に逃げてしまい高い保温効果は望めない（ヒートブリッジ、熱橋の形成）。これは、防水パン側に保温材を設けず、浴室の壁部側に保温材を設けた場合にも同様にヒートブリッジが形成され、この場合には熱の逃げ易い防水パン側から外部に熱が逃げてしまう。
以上のように、保温性を大きく向上させるためには、浴槽全体から発散する熱を浴槽の裏面とで空間を形成する部分（例えば、防水パンや浴室の壁部）全体から逃げられないような構成にする必要があり、僅かでもヒートブリッジが形成されていればその部分から外部に放熱されるため、保温効果が高められない。
【００１３】
一方、浴槽本体の保温性を向上させ、外部に熱を逃がし難くする手法自体は、従来からよく知られている。
例えば、図１９に示すように、浴槽２６０の構造として、表面がゲルコート層２６２であり、第２層が強化繊維補強樹脂層２６４であり、この強化繊維補強樹脂層２６４に機械的発泡手法で形成された強化繊維補強発泡層２６６が積層されている構造になっている（下記特許文献３参照）。
また、図２０に示すように、浴槽２７０を構成する側壁部２７２と底面部２７４の各裏面に複数に区画された中空部２７６を一体的に成形して二重構造とし、この中空部２７６に断熱材２７８を注入した構造になっている（下記特許文献４参照）。
以上に示したように、浴槽自体に保温構造を取り入れ保温性を向上させる手法は、従来からよく知られている。
【００１４】
【特許文献１】
特開平９−２８５９９号公報
【特許文献２】
特開２００１−７０１９１号公報
【特許文献３】
特開平１０−３２８０６２号公報
【特許文献４】
特開平９−８４７０９号公報
【００１５】
【発明が解決しようとする課題】
しかしながら、上記特許文献３及び特許文献４に示された技術では、浴槽自体を保温構造とするため、様々なバリエーション展開を行う防水パン方式のユニットバスにおいては、様々なバリエーションに合わせた浴槽一つ一つにその保温構造を取り入れなければならず、生産効率が低下するとともに浴槽製造上の材質的な制約も受け易くなる可能性がある。
【００１６】
また、浴槽に様々な周辺機器（例えば、ブローポンプや追焚アダプタなど）が取り付けられた場合、その取付口で保温層が分断され、その取付口から熱が逃げ易くなる。取付口から逃げた熱は、断熱性能が比較的弱い防水パンの床部分や浴室の壁部など熱が逃げ易い部分を通じて比較的簡単に浴室外部に放熱するため、安定した保温効果を得ることができなかった。
【００１７】
そこで、本発明は、上記事情に鑑みて成されたものであり、常に安定した保温効果を得ることができる浴槽内温水の保温構造を提供することを目的とする。
【００１８】
【課題を解決するための手段】
本発明は、上記課題を解決するため、以下の手段を採用する。
請求項１に記載の発明は、第１断熱材が一体成型され浴槽が載置される浴槽側防水パンを有し、前記浴槽側防水パンに形成された壁載置部に浴室の壁部が載置される浴室に用いられ、前記浴槽が前記浴槽側防水パン上に載置されたときに前記浴槽の裏面側と前記浴室の前記壁部又は前記浴槽側防水パンとで形成される内部空間から浴室外部に熱が逃げることを阻止するように前記壁部に第２断熱材を貼り付けたことを特徴とする。
【００１９】
請求項１に記載の発明によれば、第１断熱材が一体成型された浴槽側防水パンに浴槽が載置されるとともに、かつこの浴槽が浴槽側防水パン上に載置されたときに浴槽の裏面側と浴室の壁部又は浴槽側防水パンとで形成される内部空間から浴室外部に熱が逃げることを阻止するように壁部に第２断熱材が貼り付けられているため、浴槽内の温水から浴槽を通して浴槽の裏面側に放熱された熱が浴室外部に逃げてしまうことがない。このため、浴槽の裏面側から放熱された熱を閉じ込めてしまうことができ浴室内部と外部とで熱の流れが生じないため、浴槽内部の温水の保温効果を高めることができ、さらにその保温効果を安定させることができる。
昨今、所定の規制を設けるなどして地球の環境に対する配慮がなされており、あらゆる分野で省エネルギーがうたわれている。本発明のユニットバスに関連する分野においても当然に例外ではなく、まさに省エネルギーが求められている分野である。かかる観点から、本発明は、省エネルギー政策に対する発明として非常に価値あるものであり、従来のバスユニットのように浴槽内の温水（湯）を追炊きする設備が設けられており温水が冷めれば追焚きすることにより直ちに所定の温度（例えば、４２度）に調整することができるものとは別に、本発明は浴槽内の温水の湯温の低下を極力防止することができるものである。本発明によれば、浴槽内の温水が保温されるため、所定の時間が経過した場合でも追炊することなくそのまま入浴することができ、省エネルギー政策に大きく貢献することができる。
また、浴槽側防水パンには第１断熱材が一体成型されているため、従来のように、防水パンに別体の保温材を貼り付けることが不要となり、型投資を極力小さくすることができる。また、第１断熱材を一体成型するだけで足り、従来のように防水パンに発泡ウレタンを吹き付ける必要がなくかかる手間を省くことができるため、生産性が低下することがない。
さらに、浴槽側防水パンに浴槽が載置されるため、例えば周辺機器が取り付けられた浴槽の取付部位などから漏れた温水も浴槽側防水パンで受け止めることができるため、他の建材に悪影響を及ぼすことがない。また、浴槽が浴槽側防水パンの上に載置されているだけであり、浴槽に浴室を構成する壁などが載置されているわけではない（つまり、浴槽の側壁が浴室を構成しているわけではない）ので、浴槽側防水パンから浴槽を容易に移動させることができる。これにより、浴槽を容易に交換することができる。
【００２０】
請求項２に記載の発明は、第１断熱材が一体成型され浴槽が載置される浴槽側防水パンを有し、前記浴槽側防水パンに形成された壁載置部に浴室の壁部が載置される浴室に用いられ、前記浴槽が前記浴槽側防水パン上に載置されたときに前記浴槽の裏面側と前記浴室の前記壁部又は前記浴槽側防水パンとで形成される内部空間から浴室外部に熱が逃げることを阻止するように前記壁部に第２断熱材を一体成型したことを特徴とする。
【００２１】
請求項２に記載の発明によれば、第１断熱材が一体成型された浴槽側防水パンに浴槽が載置されるとともに、かつこの浴槽が浴槽側防水パン上に載置されたときに浴槽の裏面側と浴室の壁部又は浴槽側防水パンとで形成される内部空間から浴室外部に熱が逃げることを阻止するように壁部に第２断熱材が一体成型されているため、浴槽内の温水から浴槽を通して浴槽の裏面側に放熱された熱が浴室外部に逃げてしまうことがない。このため、浴槽の裏面側から放熱された熱を閉じ込めてしまうことができ浴室内部と外部とで熱の流れが生じないため、浴槽内部の温水の保温効果を高めることができ、さらにその保温効果を安定させることができる。
昨今、所定の規制を設けるなどして地球の環境に対する配慮がなされており、あらゆる分野で省エネルギーがうたわれている。本発明のユニットバスに関連する分野においても当然に例外ではなく、まさに省エネルギーが求められている分野である。かかる観点から、本発明は、省エネルギー政策に対する発明として非常に価値あるものであり、従来のバスユニットのように浴槽内の温水（湯）を追炊きする設備が設けられており温水が冷めれば追焚きすることにより直ちに所定の温度（例えば、４２度）に調整することができるものとは別に、本発明は浴槽内の温水の湯温の低下を極力防止することができるものである。本発明によれば、浴槽内の温水が保温されるため、所定の時間が経過した場合でも追炊することなくそのまま入浴することができ、省エネルギー政策に大きく貢献することができる。
また、浴槽側防水パンには第１断熱材が一体成型されているため、従来のように、防水パンに別体の保温材を貼り付けることが不要となり、型投資を極力小さくすることができる。また、第１断熱材を一体成型するだけで足り、従来のように防水パンに発泡ウレタンを吹き付ける必要がなくかかる手間を省くことができるため、生産性が低下することがない。
さらに、浴槽側防水パンに浴槽が載置されるため、浴槽から漏れた温水も浴槽側防水パンで受け止めることができるため、他の建材に悪影響を及ぼすことがない。また、浴槽が浴槽側防水パンの上に載置されているだけであり、浴槽に浴室を構成する壁などが載置されているわけではない（つまり、浴槽の側壁が浴室を構成しているわけではない）ので、浴槽側防水パンから浴槽を容易に移動させることができる。これにより、浴槽を容易に交換することができる。
【００２２】
請求項３に記載の発明は、請求項１又は２に記載の浴槽内温水の保温構造において、前記第２断熱材の下方側端部は前記浴槽側防水パンの前記壁載置部上に載置され、前記第２断熱材の上方側端部には前記浴槽の一部が接触していることを特徴とする。
【００２３】
請求項３に記載の発明によれば、第２断熱材の下方側端部は浴槽側防水パンの前記壁載置部上に載置され、第２断熱材の上方側端部に浴槽の一部が接触している構成とすることにより、浴槽の一部が第２断熱材により下方から支持されることになる。これにより、第２断熱材に浴槽内部の温水を保温することができる機能をもたせるだけでなく、浴槽を支持する機能ももたせることができる。また、第２断熱材は、浴槽と壁載置部とで挟まれるため、第２断熱材を浴室の壁部に貼り付けた場合でも、第２断熱材が浴室の壁部から離脱することを防止できる。
さらに、第２断熱材の上方側端部に浴槽の一部が接触している構成とすることにより、浴槽の裏面側と第１断熱材を有する防水パンと第２断熱材とで形成される空間を気密にすることができ、いわゆるヒートブリッジが形成されず、保温性を向上させることができる。
【００２４】
請求項４に記載の発明は、請求項１乃至３のいずれか１項に記載の浴槽内温水の保温構造において、前記浴槽の裏面側と前記第２断熱材又は前記浴槽側防水パンとで囲まれて形成され前記浴槽の裏面側から放熱された熱が閉じ込められる保温空間を複数又は単数備えていることを特徴とする。
【００２５】
請求項４に記載の発明によれば、複数又は単数の保温空間が浴槽の裏面側と第２断熱材又は浴槽側防水パンとで囲まれて形成されており、その保温空間に浴槽の裏面側から放熱された熱が閉じ込められているため、新たに熱層を設けることとなり、保温効果をさらに向上させることができる。
特に、本発明のように積極的に保温空間を設けることにより、保温効果が向上するだけでなく、第２断熱材の材料費も低減することができる。
【００２６】
請求項５に記載の発明は、請求項１乃至４のいずれか１項に記載の浴槽内温水の保温構造において、前記浴槽の裏面側と対峙する部分には、前記浴槽の裏面側からの輻射熱を反射する輻射熱反射層が形成されていることを特徴とする。
【００２７】
請求項５に記載の発明によれば、浴槽の裏面側と対峙する部分に浴槽の裏面側からの輻射熱を反射する輻射熱反射層を形成することにより、さらに保温効果を高めることができる。
【００２８】
【発明の実施の形態】
次に、本発明の第１実施形態に係る浴槽内温水の保温構造について、図面を参照して説明する。
【００２９】
図１及び図２に示すように、本実施形態の浴槽内温水の保温構造が適用される浴室１０には、浴槽１２が載置される浴槽側防水パン１４が配置されている。この浴槽側防水パン１４には、浴室１０の壁部１６が載置される壁載置部１８が浴槽側防水パン１４の端部から上方に立ち上がるように形成されている。また、浴槽側防水パン１４には、エプロン２０が載置されるエプロン載置部２２が浴槽側防水パン１４の端部から上方に立ち上がるように形成されている。
【００３０】
また、浴槽側防水パン１４には、断熱材（以下、適宜「第１断熱材」と称する。）が一体成型されている。ここで、第１断熱材としては、発泡塩化ビニル（ＰＶＣ）、発泡スチロール（ＰＳ）、発泡ポリプロピレン（ＰＰ）、発泡ポリエチレン（ＰＥ）、発泡ポリウレタン、フェノールフォーム等の材料が考えられ、浴槽側防水パン１４には上記各材料が一体成型されたもの（単独成型体）や、上記各材料を適宜複数組み合わせて一体成型したものが用いられる。また、浴槽側防水パン１４を、汎用樹脂やその他スキンの層を上記各材料に複合させたハイブリッド材料の断熱構造体としてもよい。
さらに、浴槽側防水パン１４は、第１断熱材として微細なシリカやガラス繊維の外側を樹脂フィルムで拘束し、内部を脱気した真空断熱材（Ｖ．Ｉ．Ｐ）を用いたものでもよい。
【００３１】
また、浴槽側防水パン１４の成型方法としては、汎用樹脂をブロー成型して防水パン１４の外郭を形成し、その中空部の内部で上記材料で形成される第１断熱材を同時に発泡させる同時発泡・ブロー成型（スーパーブロー：登録商標）や、同じくブロー成型や回転成型で形成した浴槽側防水パン１４の中空部に、上記材料で形成される第１断熱材を充填した構成の成型体、あるいは浴槽側防水パン１４を真空成型で形成し、その外側あるいは内側に上記材料で記載される第１断熱材を裏打ち成型したハイブリッド構造の真空成型が適当である。
また、浴槽側防水パン１４は、比較的強度が高い発泡材（ＰＳ、ＰＰ、ＰＥなど）を単独モールド成型により製造することも可能である。
【００３２】
また、浴槽１２の裏面側と浴槽側防水パン１４との間には空間部３０が形成されており、この空間部３０には浴槽１２の裏面側から放熱された浴槽内の温水の熱が閉じ込められ、保温空間として機能するようになっている。
【００３３】
一方、浴槽側防水パン１４の壁載置部１８の上面（以下、適宜「水平面１８Ａ」という。）１８Ａには、浴室１０の壁部１６が載置されている。ここで、壁載置部１８の幅方向の外側端部には、上方に延びる支持片２４が形成されており、この支持片２４に固定された支柱（図示省略）により浴室１０の壁部１６が支持されている。また、浴槽側防水パン１４の壁載置部１８の上面１８Ａには、浴槽内温水を保温する断熱材（以下、適宜「第２断熱材２６」と称する。）２６が載置されている。この第２断熱材２６は、コ字状（浴室１０の平面視にて）に形成されており、一方の側面が壁部１６に接着剤などにより取り付けられ、他方の側面の一部が浴槽側防水パン１４の上に載置される浴槽１２の側面の一部と接触している。また、第２断熱材２６の上方側の端面は浴槽１２のリム１２Ａ近傍に位置する端部と接触しており、浴槽１２を下方から支持している。このように、第２断熱材２６が浴槽１２と壁載置部１８の水平面とで挟まれるため、第２断熱材２６が浴室１０の壁部１６から離脱することを防止できる。さらに、第２断熱材２６の上方側端部に浴槽１２の一部が接触している構成とすることにより、浴槽１２の裏面側と第１断熱材を有する防水パン１４と第２断熱材２６とで形成される空間を気密にすることができ、いわゆるヒートブリッジが形成されず、保温性を向上させることができる。
【００３４】
以上のように、浴槽１２の裏面側と浴室１０の壁部１６との間には浴槽１２と接触する第２断熱材２６が介在しており、浴槽１２の比較的面積の大きな一方の側面（本明細書において適宜「大側面１２Ｃ」と称する。）１２Ｃの一部と、比較的面積の小さな両方の側面（図示省略、本明細書において適宜「小側面」と称する。）の一部とは、第２断熱材２６と接触した構造となっている。すなわち、浴槽１２の３つの側面（１つの大側面１２Ｃと２つの小側面）のそれぞれの一部が第２断熱材２６と接触した構成になっている。
【００３５】
ここで、第２断熱材２６としては、発泡塩化ビニル（ＰＶＣ）、発泡スチロール（ＰＳ）、発泡ポリプロピレン（ＰＰ）、発泡ポリエチレン（ＰＥ）、発泡ポリウレタン、フェノールフォーム等の材料が考えられ、第２断熱材２６には上記各材料が一体成型されたもの（単独成型体）や、上記各材料を適宜複数組み合わせて一体成型したものが用いられる。また、第２断熱材２６を、汎用樹脂やその他スキンの層を上記各材料に複合させたハイブリッド材料の断熱構造体としてもよい。
さらに、第２断熱材２６は、微細なシリカやガラス繊維の外側を樹脂フィルムで拘束し、内部を脱気した真空断熱材（Ｖ．Ｉ．Ｐ）を用いたものでもよい。
【００３６】
また、第２断熱材２６の成型方法としては、浴槽側防水パン１４と同様であり、汎用樹脂をブロー成型して第２断熱材２６の外郭を形成し、その中空部の内部で上記材料を同時に発泡させる同時発泡・ブロー成型（スーパーブロー：登録商標）や、同じくブロー成型や回転成型で形成した第２断熱材２６の中空部に、上記材料を充填した構成の成型体、あるいは第２断熱材２６を真空成型で形成し、その外側あるいは内側に上記材料を裏打ち成型したハイブリッド構造の真空成型が適当である。
また、第２断熱材２６は、比較的強度が高い発泡材（ＰＳ、ＰＰ、ＰＥなど）を単独モールド成型や押し出し成型により製造することも可能である。
さらに、第２断熱材２６が浴室の壁部１６に取り付けられることに限られず、浴室１０の壁部１６に上記材料で構成される第２断熱材２６を一体成型してもよい。
【００３７】
また、第２断熱材２６と浴槽１２の側面１２Ｃの一部との間にも空間部３２が設けられており、この空間部３２に浴槽１２の内部の温水から放熱された熱が閉じ込められるため、保温空間として機能する。
【００３８】
また、浴槽側防水パン１４のエプロン載置部２２の上面２２Ａには、上部に洗い場を形成する洗い場側防水パン２８のパン端部２８Ａが載置されている。また、パン端部２８Ａの上面にはエプロン２０の一端部が載置されており、エプロン２０の他端部には浴槽１２のリム１２Ｂの端部が載置されている。このように、エプロン２０は、洗い場側防水パン２８のパン端部２８Ａと浴槽１２のリム１２Ｂの端部との間に配置されている。
【００３９】
ここで、エプロン２０には、断熱材（以下、適宜「第４断熱材」と称する。）が一体成型されている。この第４断熱材として、発泡塩化ビニール（ＰＶＣ）、発泡スチロール（ＰＳ）、発泡ポリプロピレン（ＰＰ）、発泡ポリエチレン（ＰＥ）、発泡ポリウレタン、フェノールフォームなどの材料が適当である。第４断熱材は上記各材料の単独品、もしくは適宜、複数組み合わせて構成してもよく、さらに微細なシリカやガラス繊維の外側を樹脂フィルムで拘束し、内部を脱気した真空断熱材（Ｖ．Ｉ．Ｐ）を用いてもよい。
【００４０】
また、エプロン２０の成型方法として、汎用樹脂をブロー成型してエプロン２０の外郭を形成し、その中空部の内部で上記材料で形成される第４断熱材を同時に発泡させる同時発泡・ブロー成型（スーパーブロー：登録商標）や、同じくブロー成型や回転成型で形成したエプロン２０の中空部に、上記材料で形成される第４断熱材を充填した構成の成型体、あるいはエプロン２０を真空成型で形成し、その裏側に上記材料で記載される第４断熱材を裏打ち成型したハイブリッド構造の真空成型が適当である。また、エプロン２０は比較的強度の高い発泡材（ＰＶＣやＰＳ、ＰＰ・ＰＥなど）を単独でモールド成型したり、押し出し成型したりすることによっても製造可能である。
【００４１】
さらに、浴槽１２の比較的面積の大きな他方の側面（本明細書において適宜「大側面１２Ｄ」と称する。）１２Ｄとエプロン２０との間にも空間部３４が設けられており、この空間部３４も上記空間部３０、３２と同様に保温空間として機能している。
【００４２】
以上のように、浴槽側防水パン１４には第１断熱材が一体成型されており、かつ浴室１０の壁部１６と浴槽１２との間には第２断熱材２６が配置されているので、浴槽側防水パン１４の上に浴槽１２が載置されたときに、浴槽１２の裏面側と浴室１０の壁部１６又は浴槽側防水パン１４とで形成される内部空間Ｍ（本実施形態では、空間部３０、３２、３４を合わせた空間部）から浴室１０の外部に熱が逃げることを防止することができる。
【００４３】
次に、本実施形態の浴槽内温水の保温構造の作用及び効果について説明する。
【００４４】
図１及び図２に示すように、第１断熱材が一体成型された浴槽側防水パン１４に浴槽１２が載置されるとともに、かつこの浴槽１２が浴槽側防水パン１４上に載置されたときに浴槽１２の裏面側と浴室１０の壁部１６又は浴槽側防水パン１４とで形成される内部空間Ｍから浴室外部に熱が逃げることを阻止するように浴室１０の壁部１６に第２断熱材２６が取り付け貼り付けられているため、浴槽内の温水から浴槽１２を通して浴槽１２の裏面側にある内部空間Ｍに放熱された熱が浴室１０の壁部１６を通して浴室外部に逃げてしまうことを防止できる。このように、本発明の浴槽内温水の保温構造では、浴槽１２の裏面側から放熱された熱を閉じ込めてしまうことができ、浴室内部と浴室外部とで熱の流れが生じないため、浴槽内部の温水の保温効果を高めることができる。
特に、浴槽側防水パン１４の壁載置部１８Ａでは、第２断熱材２６と壁部１６と支持片２４とが幅方向に重なっている（オーバーラップしている）ため、第２断熱材２６と壁載置部１８の上面１８Ａとの接続部位から浴室外部に熱が逃げることを防止（いわゆるヒートブリッジの防止）できるため、特に保温効果を向上させることができる。
以上のように、本発明の浴槽内温水の保温構造によれば、浴槽内の温水が保温されるため、所定の時間が経過した場合でも追炊することなくそのまま入浴することができ、省エネルギー政策に大きく貢献することができる。
【００４５】
また、浴槽側防水パン１４には第１断熱材が一体成型されているため、従来のように、防水パンに別体の保温材を貼り付けることが不要となり、型投資を極力小さくすることができる。また、第１断熱材を一体成型するだけで足り、従来のように防水パンに発泡ウレタンを吹き付ける必要がなくかかる手間を省くことができるため、生産性が低下することがない。
【００４６】
さらに、浴槽側防水パン１４に浴槽１２が載置されるため、例えば周辺機器が取り付けられた浴槽１２の取付部位などから漏れた温水も浴槽側防水パン１４で受け止めることができるため、他の建材に悪影響を及ぼすことがない。また、浴槽１２が浴槽側防水パン１４の上に載置されているだけであり、浴槽１２に浴室を構成する壁などが載置されているわけではない（つまり、浴槽１２の側面１２Ｃが浴室の壁部を兼ねているわけではない）ので、浴槽側防水パン１４から浴槽１２を容易に移動させることができる。これにより、浴槽１２を容易に交換することができる。
【００４７】
また、浴槽１２の側面１２Ｃの一部に第２断熱材２６の一部が接触しているため、浴槽１２の裏面側から放熱された熱が直接第２断熱材２６に吸収されるとともに、この第２断熱材２６に吸収された熱で浴槽１２が保温されるため、保温効果をさらに向上させることができる。また、浴槽１２が第２断熱材２６と接触することにより浴槽１２の側面部１２Ｃの一部が第２断熱材２６により位置決めされるため、浴槽１２の載置状態を安定させることができる。
【００４８】
また、浴槽１２の裏面側と浴槽側防水パン１４との間には空間部３０が形成されており、この空間部３０には浴槽１２の裏面側から放熱された熱が閉じ込められているため、この空間部３０を保温空間として用いることができる。これにより、浴槽内温水の保温効果をさらに向上させることができる。特に、本実施形態の浴槽内温水の保温構造のように空間部３０を積極的に形成した場合には、空間部３０に保温材（図示省略）などを充填させる場合と比較して、同等の保温効果を有すると共に、第２断熱材２６の材料費を低減することができる。なお、本実施形態では、第２断熱材２６と浴槽１２の側面１２Ｃの一部との間にも空間部３２が設けられており、この空間部３２も保温空間として機能している。
【００４９】
また、エプロン２０に第４断熱材が一体成型されているため、浴槽１２の裏面側から放熱された熱がエプロン２０を通って洗い場側に逃げてしまうことを防止でき、さらに保温効果を向上させることができる。さらに、浴槽１２の側面１２Ｄとエプロン２０との間にも空間部３４が設けられており、この空間部３４も上記空間部３０、３２と同様に保温空間として機能している。
【００５０】
さらに、図２に示すように、浴槽１２のリム１２Ａに風呂蓋４０を載置させることにより浴槽内温水の保温効果をさらに向上させることができる。
【００５１】
なお、本実施形態の浴槽内温水の保温構造では、第２断熱材２６と浴室１０の壁部１６とをそれぞれ別体として成型し、後工程で第２断熱材２６が浴室１０の壁部１６に取り付けられた構造を示したが、これに限られるものではなく、例えば、第２断熱材２６を浴室１０の壁部１６に一体成型させたものでもよい。これにより、断熱機能を有した浴室１０の壁部１６を成型することができ、浴槽内に貯溜された温水を保温することができる。
【００５２】
次に、本発明の第２実施形態に係る浴槽内温水の保温構造について説明する。
なお、第１実施形態に係る浴槽内温水の保温構造と重複する構成には同符号を付し、適宜その説明を省略する。
【００５３】
図３及び図４に示すように、本実施形態の浴槽内温水の保温構造では、浴槽側防水パン５０の壁載置部５２の上面５２Ａに段部を構成する載置溝５４が形成されており、この載置溝５４に第２断熱材２６の下方側端部が載置されている。かかる構造とすることにより、壁載置部５２の上面５２Ａに載置された壁部１６と壁載置部５２との接続部位を第２断熱材２６により塞ぐことができる。
また、第１実施形態と同様に、第２断熱材２６の上方側端部には浴槽１２のリム１２Ａ近傍に位置する端部が接触しており、第２断熱材２６により浴槽１２が支持されている。
また、壁置部５２には支持片５３が形成されており、浴槽側防水パン５０にはエプロン載置部５５が形成されている。
なお、第２断熱材２６は、壁部１６に取り付けた形態に限られるものではなく、壁部１６と一体成型した形態でもよい。
【００５４】
また、浴槽側の比較的面積の大きな他方の側面（本明細書において適宜「大側面１２Ｄ」と称する。）とエプロン２０との間には、断熱材（以下、適宜「第３断熱材」と称する。）５６が配置されている。この第３断熱材５６の一方の側面がエプロン２０と接触しており、他方の側面が浴槽１２の側面１２Ｄに接触している。
【００５５】
ここで、第３断熱材５６は、第２断熱材２６と同様に、発泡塩化ビニル（ＰＶＣ）、発泡スチロール（ＰＳ）、発泡ポリプロピレン（ＰＰ）、発泡ポリエチレン（ＰＥ）、発泡ポリウレタン、フェノールフォーム等の材料が考えられ、第３断熱材５６には上記各材料が一体成型されたもの（単独成型体）や、上記各材料を適宜複数組み合わせて一体成型したものが用いられる。また、第３断熱材５６を、汎用樹脂やその他スキンの層を上記各材料に複合させたハイブリッド材料の断熱構造体としてもよい。
さらに、第３断熱材５６は、微細なシリカやガラス繊維の外側を樹脂フィルムで拘束し、内部を脱気した真空断熱材（Ｖ．Ｉ．Ｐ）を用いたものでもよい。
【００５６】
また、第１実施形態の浴槽内温水の保温構造と同様に、浴槽１２の裏面側底部と浴槽側防水パン５０との間には、空間部５７が設けられている。また、浴槽１２の側面１２Ｃと第２断熱材２６との間にも、空間部５９が設けられている。これらの空間部５７、５９には浴槽１２の裏面側から放熱される熱が閉じ込められるため、保温空間として機能する。
【００５７】
なお、浴層側防水パン５０、第２断熱材２６、エプロン２０の材質は、第１実施形態の浴槽内温水の保温構造で用いたものと同様である。
【００５８】
次に、本実施形態に係る浴槽内温水の保温構造の作用及び効果について説明する。
【００５９】
図３及び図４に示すように、浴槽側防水パン５０の壁載置部５２と浴室５１の壁部１６との接続部を第２断熱材２６で塞ぐようにしており、壁載置部５２の少なくとも一部と第２断熱材２６の少なくとも一部とが厚み方向に間隙なく重なる構造にしている。このように、ヒートブリッジの原因となる接続部を塞ぐことによりヒートブリッジを防止することができ、さらに保温効果を高めることができる。この結果、内部空間Ｍ（本実施形態では、空間部５７と空間部５９とを合わせた空間部）から浴室外部への熱の移動を阻止することができる。
【００６０】
また、エプロン２０と浴槽１２の裏面側との間には第３断熱材５６が設けられているため、浴槽１２の洗い場側に位置する裏面から放熱された熱がエプロン２０を通して浴室内部に流れないようにすることができる。気温が低い浴室外部に熱が流れてしまうことを防止することが浴槽内部の温水の保温効果にとって最も重要なことになるが、比較的温度の高い浴室内部への熱の流れも遮断することにより、さらに保温効果を高めることができる。
【００６１】
さらに、図４に示すように、浴槽１２のリム１２Ａに風呂蓋４０を載置させることにより浴槽内温水の保温効果をさらに向上させることができる。
【００６２】
ここで、図５（Ａ）、（Ｂ）に示すように、浴槽側防水パン５０の載置溝５４に凸部６０又は凹部６２を形成し、また、第２断熱材２６の下側端面に前記凸部６０又は凹部６２と係合する凹部６４又は凸部６６を形成し、第２断熱材２６が壁載置部５２の載置溝５４に載置されるときに両者が係合するような構造にしてもよい。
【００６３】
かかる構造とすることにより、浴槽側防水パン５０の載置溝５４の凸部６０又は凹部６２と第２断熱材２６の凹部６４又は凸部６６とが係合することにより、両者の接続がより強固になり、第２断熱材２６が浴室の壁部１６から離脱することを効果的に防止できる。
【００６４】
次に、本発明の第３実施形態に係る浴槽内温水の保温構造について説明する。
なお、本実施形態に係る浴槽内温水の保温構造は、第２実施形態の浴槽内温水の保温構造をベースにしたものであり、第２実施形態に係る浴槽内温水の保温構造と重複する構成には同符号を付し、適宜その説明を省略する。
【００６５】
図６及び図７に示すように、本実施形態の浴槽内温水の保温構造では、浴槽側防水パン８０の壁載置部８２の高さがエプロン載置部８４の高さよりも高くなるように構成されている。これにより、浴槽８６の裏面側と浴室８１の壁部１６又は浴槽側防水パン８０とで形成される内部空間Ｍ（本実施形態では、空間部９１と空間部９３とを合わせた空間部）に占める壁部１６の体積が小さくなっている。
【００６６】
ここで、本実施形態の浴槽内温水の保温構造では、浴槽側防水パン８０の壁載置部８２の上面８２Ａには載置溝８５が形成されており、この載置溝８５に第２断熱材２６が載置されている。また、壁載置部８２の上面８２Ａには浴室８１の壁部１６が載置されている。この壁載置部８２には支持片８７が形成されている。また、第２断熱材２６の上面には浴槽８６のリム８６Ａ近傍に位置する端部が接触している。
【００６７】
一方、浴槽側防水パン８０のエプロン載置部８４の上面８４Ａには洗い場側防水パン９０のパン端部９０Ａが載置されている。このパン端部９０Ａにはエプロン２０の下側端部が載置されている。なお、エプロン２０の上側端部は浴槽８６のリム８６Ｂと係合している。また、浴槽８６の他方の側面８６Ｄとエプロン２０との間には第３断熱材５６が配置されている。さらに、浴槽８６の一方の側面８６Ｃと第２断熱材２６との間には空間部９３が設けられており、浴槽８６の裏面側と浴槽側防水パン８０との間にも空間部９１が設けられており、これらの空間部９３、９１も保温空間として機能する。
【００６８】
なお、第２断熱材２６、浴槽側防水パン８０、エプロン２０、第３断熱材５６の材質は、第２実施形態の浴槽内温水の保温構造のものと同様である。
【００６９】
本実施形態の浴槽内温水の保温構造によれば、内部空間Ｍに占める壁部１６の体積が小さくなっているため、壁部１６に貼り付け又は一体成型される第２断熱材２６の体積も小さくすることができ、第２断熱材２６の材料費を低減することができる。
また、浴槽側防水パン８０の壁載置部８２の高さを高くすればするほど浴槽８６の裏面側の大部分が第２断熱材２６と比較して厚みが厚い浴槽側防水パン８０によって覆われることになり、さらに保温性が向上することができるとともに、浴槽８６から溢れた温水も十分に受け止めることができる。
【００７０】
次に、本発明の第４実施形態に係る浴槽内温水の保温構造について説明する。
なお、本実施形態に係る浴槽内温水の保温構造は、第３実施形態の浴槽内温水の保温構造をベースにしたものであり、第３実施形態に係る浴槽内温水の保温構造と重複する構成には同符号を付し、適宜その説明を省略する。
【００７１】
図８及び図９に示すように、本実施形態の浴槽内温水の保温構造では、浴槽側防水パン１０２の壁載置部１０４とエプロン載置部１０６とが略同じ高さに形成されているものであるが、浴槽側防水パン１０２の壁載置部１０４には、壁パネル１０８が載置されている。この壁パネル１０８は、浴槽側防水パン１０２と別個独立したものであり、壁載置部１０４の支持片１１０、上面１０４Ａ及び載置溝１１２に載置される接合部１１４が形成されている。詳細には、この接合部１１４には、支持片１１０と接合する第１接合部１１４Ａと、上面１０４Ａと接合する第２接合部１１４Ｂと、掲置溝１１２と接合する第３接合部１１４Ｃと、が形成されている。この壁パネル１０８が浴槽側防水パン１０２の壁載置部１０４と接合して載置され、この壁パネル１０８の上面１０８Ａに浴室１００の壁部１６と第２断熱材２６とが載置される構造である。この第２断熱材２６の一方の側面が浴室１００の壁部１６に接着剤等により取り付けられ、上方側の端面には浴槽１１８のリム１１８Ａ近傍に位置する端部が接触しており、浴槽１１８を下方から支持した構造になっている。
【００７２】
また、壁パネル１０８は、浴槽側防水パン１０２と同様に、第１断熱材が一体成型されたものであり、断熱機能を有している。
【００７３】
このように、本実施形態の浴槽内温水の保温構造では、第３実施形態の浴槽内温水の保温構造で用いられた浴槽側防水パン８０（図６及び図７参照）のエプロン載置部８４（図６及び図７参照）の上方側端面と略同一平面よりも上方に突出した壁載置部８２（図６及び図７参照）の部分が別体となったものである。
【００７４】
また、浴槽側防水パン１０２のエプロン載置部１０６には、洗い場側防水パン１２４のパン端部１２４Ａの下側端部が載置されている。このパン端部１２４Ａにはエプロン２０が載置されている。このエプロン２０の上側端部は浴槽１１８のリム１１８Ｂと係合している。
【００７５】
また、浴槽１１８の一方の側面１１８Ｃと壁パネル１０８との間には、断熱材（以下、適宜「第５断熱材」と称する。）１２０が配置されている。この第５断熱材１２０の一方の側面が壁パネル１０８に接着剤等により接着されている。また、第５断熱材１２０の他方の側面は浴槽１１８の一方の側面１１８Ｃと接触している。第５断熱材１２０の材質及びその成型方法は、第２断熱材２６の材質及びその成型方法と同様である。このように、第５断熱材１２０は、浴槽内温水の保温効果を高める保温機能とともに、浴槽１０２の配置位置を決める位置決め機能も備えている。この第５断熱材１２０の材質は、第２断熱材２６、第３断熱材５６の材質と同様である。
【００７６】
また、浴槽１１８の他方の側面１１８Ｄとエプロン２０との間には、第３断熱材５６が配置されている。さらに、浴槽１１８の裏面側と浴槽側防水パン１０２との間及び浴槽１１８の一方の側面１１８Ｃの裏面側と第２断熱材２６との間には、それぞれ空間部１１１、１１３が設けられている。これらの空間部１１１、１１３には浴槽１１８の裏面側から放熱された熱が閉じ込められ、保温空間として機能する。
【００７７】
なお、第２断熱材２６、浴槽側防水パン１０２、エプロン２０、第３断熱材５６の材質は、第２実施形態の浴槽内温水の保温構造のものと同様である。
【００７８】
本実施形態の浴槽内温水の保温構造によれば、エプロン載置部１０６の上方側端面と略同一平面から上方に突出した壁パネル１０８を別体として製造することにより、浴槽側防水パン１０２の高さを低くできるため、浴槽側防水パン１０２を成型する成形型を安価に製造することができ、低コストを実現することができる。また、さらに、浴槽側防水パン１０２と壁パネル１０８とを別体とすることにより、それぞれを小型化することができるため、浴室１００への搬入性を向上させることができる。
【００７９】
以上のように、第１実施形態から第４実施形態までの浴槽内温水の保温構造について説明してきたが、各実施形態の浴槽内温水の保温構造に限られるものではない。例えば、浴槽１２、８６、１１８の裏面側と対峙する浴槽側防水パン１４、５０、８０、１０２の表面に、浴槽１２、８６、１１８の裏面側からの輻射熱を反射する輻射熱反射層を形成してもよい。
【００８０】
ここで、輻射熱反射層の形成させる方法としては、アルミニウム材料を用い、これを薄い箔状にしてポリエチレンシートなど各種樹脂シートとラミネートしたり、蒸着処理することで、輻射熱反射層を形成することが適当である。また、これに限られず、細かいアルミニウムの粉末（アルミ粉末）を混入した塗料（銀色塗料）を浴槽側防水パン１４、５０、８０、１０２の表面に塗布することにより輻射熱反射層を形成してもよい。
さらに、浴槽側防水パン１４、５０、８０、１０２の表面に、輻射熱反射層（アルミ層）を形成する場合に限られず、例えば、浴槽側防水パン１４、５０、８０、１０２を構成する樹脂にアルミ粉末を内添し、浴槽側防水パン１４、５０、８０、１０２の内部に輻射熱反射層を形成するようにしてもよい。また、セラミック材料を混入した塗料を浴槽側防水パン１４、５０、８０、１０２の表面に塗布することにより輻射熱反射層を形成させてもよい。
このように浴槽側防水パン１４、５０、８０、１０２に輻射熱反射層を形成することにより、さらに浴槽内温水の保温効果を高めることができる。なお、上記した輻射熱反射層をエプロン２０の表面や断熱材２６等の表面に形成してもよく、これによりさらに保温効果を向上させることができる。
【００８１】
また、各実施形態の浴槽内温水の保温構造に用いられる浴槽の裏面側の空間部に断熱シートを設けることが好ましい。
例えば、第１実施形態の浴槽内温水の保温構造を例にとって説明すると、図１０に示すように、浴槽１２の裏面側に設けられた空間部３０、３２、３４に断熱シート３を設けてもよい。この断熱シート３の一方の端部が浴槽１２の側面１２Ｃと第２断熱材２６とで挟まれ、他方の端部が浴槽１２のリム１２Ｂ近傍の端部とエプロン２０の端部とで挟まれることにより、断熱シート３が配置されている。この断熱シート３の浴槽側に形成される内側断熱層と、断熱シート３の浴槽側防水パン１４側、第２断熱材２６側及びエプロン２０側に形成される外側断熱層とを組み合わせることにより、浴槽内温水の保温効果をより高めることができる。特に、断熱シート３を設けるだけで、２つの断熱層を容易に構成することができ、従来技術のように、断熱材料を浴槽などに吹き付けたり、貼り付けたりすることなく、２重の断熱層で保温効果を大幅に向上させることが可能となる。
【００８２】
上記断熱シート３としては、発泡塩化ビニル（ＰＶＣ）、発泡スチロール（ＰＳ）、発泡ポリプロピレン（ＰＰ）、発泡ポリエチレン（ＰＥ）、発泡ポリウレタン、フェノールフォーム等の材料が考えられ、断熱シート３には上記各材料が一体成型されたもの（単独成型体）や、上記各材料を適宜複数組み合わせて一体成型したものが用いられる。また、断熱シート３を、汎用樹脂やその他スキンの層を上記各材料に複合させたハイブリッド材料の断熱構造体としてもよい。
さらに、断熱シート３は、微細なシリカやガラス繊維の外側を樹脂フィルムで拘束し、内部を脱気した真空断熱材（Ｖ．Ｉ．Ｐ）を用いたものでもよい。
【００８３】
また、断熱シート３の製法としては、薄手のシート材を裁断・張り合わせることにより立体的に形成することができ、また、熱可塑性樹脂を用いる場合には、真空成型が最も適当である。さらに、断熱シート３にアルミコーティング樹脂などを組み合わせることにより、断熱シート３の位置に輻射熱反射層を形成することができ、さらに保温性を高めることができる。
【００８４】
ここで、本発明の浴槽内温水の保温構造が適用される浴室の室内構造について説明する。以下の説明において、本発明の第２実施形態に係る浴槽内温水の保温構造を前提として説明する。
【００８５】
図１１乃至図１４に示すように、浴室５１の洗い場側の壁部１７（以下、適宜「洗い場側壁部１７」と称する。）に鏡１４０が取り付けられている。この鏡１４０は、全身をバランス良く映して見られるように縦長鏡である。また、鏡１４０の下方に位置する壁部には、洗面器置台１４２が設けられている。なお、鏡１４０は、この洗面器置台１４２の略中心に鏡１４０の中心が位置するように、壁部１６に取り付けられている。この鏡１４０の右側面側には洗面器吐水用の水栓金具１４４が配置されている。この水栓金具１４４は、埋め込み型の水栓であり、鏡１４０の下部右側面側に設けられた水栓ボックス１４６の中に内蔵されている。また、水栓金具１４４の下部にはスパウト１４８が回転可能に接続されており、このスパウト１４８の先端部には吐水口１５０が形成されている。このスパウト１４８を一方の方向に回転させることにより、吐水口１５０が洗面器置台１４２の中央付近に位置し、洗面器１５２への給水がし易くなり、また、スパウト１４８を他方の方向に回転させることにより、スパウト１４８を邪魔にならない場所に位置させることができる。さらに、スパウト１４８を回転可能とすることにより、鏡１４０が吐水口１５０と干渉することがなく、洗面器１５２へ給水し易い位置から吐水させることができる。
【００８６】
また、水栓ボックス１４６の前面には、水栓ハンドル１５４が配置されている。この水栓ハンドル１５４は、洗面器置台１４２の中心から水栓ハンドル１５４までの距離が短くして洗面器置台１４２の手前に座った姿勢で水栓ハンドル１５４を操作し易いように、２つの水栓ハンドル１５４が縦に並ぶように配置されている。なお、上記スパウト１４８は、水栓ボックス１４６の底面から取り出されている。このように、水栓ハンドル１５４を水栓ボックス１４６の前面に設けることにより、ハンドルの操作性、ハンドルインデックスの視認性を向上させることができる。
【００８７】
また、鏡１４０の左右両側面側に位置する壁部には、縦長の照明ボックス１５８が設けられている。この照明ボックス１５８の内部には、縦長の照明器具（蛍光灯など）１７４が配置されている。各照明ボックス１５８の正面部１９９以外の部分は、照明器具１７４からの光が透過し易いように、半透明の樹脂で構成されている。特に、各照明ボックス１５８の鏡側の側面１９５、１９７は、面取り又はＲ形状とされている。また、照明ボックス１５８の正面部１９９は眩しくならないように不透明な樹脂で構成されている。このように、照明ボックス１５８を縦長とし、この照明ボックス１５８に内蔵されている照明器具１７４も縦長とすることにより、入浴者が鏡１４０の正面に立ったときに全身を略均等な明るさで照らすことができ、全身を鏡１４０に写して見やすくすることができる。
【００８８】
また、鏡１４０の下部左側面側には、シャワー用水栓ボックス１６０が設けられており、このシャワー用水栓ボックス１６０の底部からハンドシャワー１６２のホース１６４が取り出されている。このように、ハンドシャワー１６２と水栓金具１４４と反対側から取り出すことにより、ハンドシャワー１６２のホース１６４がスパウト１４８と洗面器１５２に干渉しにくくすることができる。
【００８９】
また、鏡１４０の上部には、固定シャワー１６６が取り付けられている。シャワー用水栓ボックス１６０の内部にはシャワー切替本体１６８が設けられており、シャワー用水栓ボックス１６０の前面に設けられたシャワー切替ハンドル１７０を操作することにより、ハンドシャワー１６２と固定シャワー１６６のいずれか一方が使用できるようになっている。
なお、鏡１４０の右側面側に位置する照明ボックス１５８の前面には、２つのシャワーハンガー１７２が取り付けられている。このように、シャワーハンガー１７２を浴室５１の洗い場側壁部１７ではなく、洗い場側壁部１７から手前に出っ張った照明ボックス１５８の前面に取り付けることにより、入浴者が洗面器置台１４２の手前に座ったときにハンドシャワー１６２を使用し易くしている。
【００９０】
また、鏡１４０と洗い場側壁部１６との間に位置する鏡裏側空間１７６には、給水・給湯管１７８と、シャワー切替本体連結管１８０と、ハンドシャワー連結管１８２と、固定シャワー連結管１８４（以下、適宜「配管」と称する。）と、が収納されている。このように、鏡１４０の裏側に空間を積極的に作るため、洗い場側壁部１７から手前に鏡１４０を設置することにより、入浴者が洗面器置台１４２の手前に座った姿勢で鏡１４０までの距離が短くなり、洗顔、クレンジング、髭剃り、むだ毛処理などの鏡１４０を見ながらの作業をし易くすることができる。また、上記各配管を洗い場側壁部１７の裏側に設置しないため、浴室５１の外部での漏水を防止することができるとともに、メンテナンスを容易にすることができる。
【００９１】
なお、各配管は、鏡裏側空間１７６に収納された配管カバー（図示省略）によって覆われており、鏡１４０はこの配管カバーの鏡取付面に取り付けられている。この配管カバーの奥行き寸法は、鏡取付面１８８と鏡１４０の下端から洗面器置台１４２との間の面１９０とで異なり、洗面器置台１４２の奥行き寸法を確保するため、および各配管が交差しないために面１９０の奥行き寸法は鏡取付面１８８の奥行き寸法よりも短くなっている。なお、鏡裏側空間１７６では配管が交差している。
【００９２】
【発明の効果】
以上説明した本発明の浴槽内温水の保温構造においては以下の効果を奏する。
請求項１記載の発明は、第１断熱材が一体成型された浴槽側防水パンに浴槽が載置されるとともに、かつこの浴槽が浴槽側防水パン上に載置されたときに浴槽の裏面側と浴室の壁部又は浴槽側防水パンとで形成される内部空間から浴室外部に熱が逃げることを阻止するように壁部に第２断熱材が貼り付けられているため、浴槽内の温水から浴槽を通して浴槽の裏面側に放熱された熱が浴室外部に逃げてしまうことがない。このため、浴槽の裏面側から放熱された熱を閉じ込めてしまうことができ浴室内部と外部とで熱の流れが生じないため、浴槽内部の温水の保温効果を高めることができ、さらにその保温効果を安定させることができる。
【００９３】
請求項２記載の発明は、第１断熱材が一体成型された浴槽側防水パンに浴槽が載置されるとともに、かつこの浴槽が浴槽側防水パン上に載置されたときに浴槽の裏面側と浴室の壁部又は浴槽側防水パンとで形成される内部空間から浴室外部に熱が逃げることを阻止するように壁部に第２断熱材が一体成型されているため、浴槽内の温水から浴槽を通して浴槽の裏面側に放熱された熱が浴室外部に逃げてしまうことがない。このため、浴槽の裏面側から放熱された熱を閉じ込めてしまうことができ浴室内部と外部とで熱の流れが生じないため、浴槽内部の温水の保温効果を高めることができ、さらにその保温効果を安定させることができる。
【００９４】
請求項３記載の発明は、第２断熱材の下方側端部は浴槽側防水パンの前記壁載置部上に載置され、第２断熱材の上方側端部には浴槽の一部が接触している構成とすることにより、浴槽の一部が第２断熱材により下方から支持されることになる。これにより、第２断熱材に浴槽内部の温水を保温することができる機能をもたせるだけでなく、浴槽を支持する機能ももたせることができる。また、第２断熱材は、浴槽と壁載置部とで挟まれるため、第２断熱材を浴室の壁部に貼り付けた場合でも、第２断熱材が浴室の壁部から離脱することを防止できる。さらに、第２断熱材の上方側端部に浴槽の一部が接触している構成とすることにより、浴槽の裏面側と第１断熱材を有する防水パンと第２断熱材とで形成される空間を気密にすることができ、いわゆるヒートブリッジが形成されず、保温性を向上させることができる。
【００９５】
請求項４記載の発明は、複数又は単数の保温空間が浴槽の裏面側と第２断熱材又は浴槽側防水パンとで囲まれて形成されており、その保温空間に浴槽の裏面側から放熱された熱が閉じ込められているため、新たに熱層を設けることとなり、保温効果をさらに向上させることができる。
特に、本発明のように積極的に保温空間を設けることにより、保温効果が向上するだけでなく、第２断熱材の材料費も低減することができる。
【００９６】
請求項５記載の発明は、浴槽の裏面側と対峙する部分に浴槽の裏面側からの輻射熱を反射する輻射熱反射層を形成することにより、さらに保温効果を高めることができる。
【図面の簡単な説明】
【図１】本発明の第１実施形態に係る浴槽内温水の保温構造を示す部分的な斜視図である。
【図２】本発明の第１実施形態に係る浴槽内温水の保温構造を示す部分的な断面図である。
【図３】本発明の第２実施形態に係る浴槽内温水の保温構造を示す部分的な斜視図である。
【図４】本発明の第２実施形態に係る浴槽内温水の保温構造を示す部分的な断面図である。
【図５】本発明の第２実施形態に係る浴槽内温水の保温構造を構成する浴槽側防水パンの壁載置部の変形例を示す壁載置部の部分的な断面図である。
【図６】本発明の第３実施形態に係る浴槽内温水の保温構造を示す部分的な斜視図である。
【図７】本発明の第３実施形態に係る浴槽内温水の保温構造を示す部分的な断面図である。
【図８】本発明の第４実施形態に係る浴槽内温水の保温構造を示す部分的な斜視図である。
【図９】本発明の第４実施形態に係る浴槽内温水の保温構造を示す部分的な断面図である。
【図１０】本発明の第１実施形態に係る浴槽内温水の保温構造に断熱シートを設けた形態を示す部分的な断面図である。
【図１１】本発明の第２実施形態に係る浴槽内温水の保温構造を備えた浴室の概略構成図である。
【図１２】図１０のＡ−Ａ間の断面図である。
【図１３】図１０のＢ−Ｂ間の断面図である。
【図１４】図１０のＣ−Ｃ間の断面図である。
【図１５】従来の浴室の構造を示す概略構成図である。
【図１６】従来の浴槽の保温構造を示す組立分解図である。
【図１７】従来の浴槽の保温構造を示す概略構成図である。
【図１８】従来の浴室の構造を示す概略構成図である。
【図１９】従来の保温構造を備えた浴槽の断面図である。
【図２０】従来の保温構造を備えた浴槽の断面図である。
【符号の説明】
１０  浴室
１２  浴槽
１４  浴槽側防水パン
１６  壁部
１８  壁載置部
２６  断熱材（第２断熱材）
３０  空間部（保温空間）
３２  空間部（保温空間）
３４  空間部（保温空間）
Ｍ    内部空間
【図１】
2005002738.tif 000003
【図２】
2005002738.tif 000004
【図３】
2005002738.tif 000005
【図４】
2005002738.tif 000006
【図５】
2005002738.tif 000007
【図６】
2005002738.tif 000008
【図７】
2005002738.tif 000009
【図８】
2005002738.tif 000010
【図９】
2005002738.tif 000011
【図１０】
2005002738.tif 000012
【図１１】
2005002738.tif 000013
【図１２】
2005002738.tif 000014
【図１３】
2005002738.tif 000015
【図１４】
2005002738.tif 000016
【図１５】
2005002738.tif 000017
【図１６】
2005002738.tif 000018
【図１７】
2005002738.tif 000019
【図１８】
2005002738.tif 000020
【図１９】
2005002738.tif 000021
【図２０】
2005002738.tif 000022